【手続補正書】
【提出日】平成30年8月28日(2018.8.28)
【手続補正１】
【補正対象書類名】特許請求の範囲
【補正対象項目名】全文
【補正方法】変更
【補正の内容】
【特許請求の範囲】
【請求項１】
共有無線周波数スペクトル帯域におけるダウンリンクサブフレーム内の所定の信号タイプを識別することと、
前記ダウンリンクサブフレーム内の前記所定の信号タイプに少なくとも部分的に基づいて、前記ダウンリンクサブフレームのためのセル固有参照信号（ＣＲＳ）を生成することと、
を特徴とする、ワイヤレス通信のための方法。
【請求項２】
前記ダウンリンクサブフレームにおける前記ＣＲＳの存在をシグナリングすること
をさらに備える、請求項１に記載の方法。
【請求項３】
前記ＣＲＳの前記存在をシグナリングすることが、
第１のキャリア上のダウンリンク制御情報（ＤＣＩ）において前記ＣＲＳの前記存在をシグナリングすること、ここにおいて、前記ＤＣＩが、第１のキャリア上の物理ダウンリンク制御チャネル（ＰＤＣＣＨ）または拡張ＰＤＣＣＨ（ｅＰＤＣＣＨ）中に含まれる、と、
認可キャリアまたは無認可キャリア上で前記シグナリングを送信すること、ここにおいて、それぞれ、前記認可キャリアまたは前記無認可キャリアが前記第１のキャリアとは異なる、と、
を備える、請求項２に記載の方法。
【請求項４】
前記ダウンリンクサブフレームの第１のシンボル期間を備える少なくとも１つのシンボル期間の第１のセット中で、物理制御フォーマットインジケータチャネル（ＰＣＦＩＣＨ）、物理フレームフォーマットインジケータチャネル（ＰＦＦＩＣＨ）、物理ダウンリンク制御チャネル（ＰＤＣＣＨ）、または物理ハイブリッド自動再送要求インジケータチャネル（ＰＨＩＣＨ）を備える制御領域を送信することと、
前記ダウンリンクサブフレームの前記第１のシンボル期間において前記ＣＲＳを送信することと、
をさらに備える、請求項１に記載の方法。
【請求項５】
（i）前記ダウンリンクサブフレームが物理制御フォーマットインジケータチャネル（ＰＣＦＩＣＨ）の送信を備え、前記方法は、
基地局が前記ダウンリンクサブフレームの後の次のダウンリンクサブフレームにおいてアクティブになるかどうかの指示を前記ＰＣＦＩＣＨにおいて送信すること
をさらに備える、または
（ii）前記ダウンリンクサブフレームが物理フレームフォーマットインジケータチャネル（ＰＦＦＩＣＨ）の送信を備え、前記方法が、
前記共有無線周波数スペクトル帯域へのアクセスを求める競合に勝つことと、
前記共有無線周波数スペクトル帯域へのアクセスを求める競合に前記勝つことに続いて前記ダウンリンクサブフレームを送信することと、
をさらに備える、または
（iii）前記ダウンリンクサブフレームが物理ハイブリッド自動再送要求インジケータチャネル（ＰＨＩＣＨ）の送信を備え、前記方法が、
ユーザ機器（ＵＥ）から受信されたアップリンクサブフレームのグループに対するグループ確認応答を前記ＰＨＩＣＨにおいて送信すること
をさらに備える、または
（iv）前記ダウンリンクサブフレームが第１の物理ハイブリッド自動再送要求インジケータチャネル（ＰＨＩＣＨ）の送信を備え、前記方法が、
第１のユーザ機器（ＵＥ）から受信されたアップリンクサブフレームの第１のグループに対する第１のグループ確認応答を前記第１のＰＨＩＣＨにおいて送信することと、
第２のＵＥから受信されたアップリンクサブフレームの第２のグループに対する第２のグループ確認応答を、第２のダウンリンクサブフレームにおける第２のＰＨＩＣＨにおいて送信することと、
をさらに備え、
ここにおいて、アップリンクサブフレームの前記第１のグループが、アップリンクサブフレームの前記第２のグループとは異なる時間領域複信（ＴＤＤ）フレーム構造に関して受信される、または
（v）前記ダウンリンクサブフレームが物理ハイブリッド自動再送要求インジケータチャネル（ＰＨＩＣＨ）の送信を備え、前記方法が、
ユーザ機器（ＵＥ）許可開始リソースブロックとアップリンクサブフレームの識別子とに応じて前記ＰＨＩＣＨのために少なくとも１つのリソースを割り振ること
をさらに備える、請求項１に記載の方法。
【請求項６】
前記ダウンリンクサブフレームがＣＲＳベース拡張システム情報ブロック（ｅＳＩＢ）を備える、請求項１に記載の方法。
【請求項７】
前記ダウンリンクサブフレームは、ユーザ機器（ＵＥ）のためのデータ送信、前記データ送信が空間周波数ブロックコーディング（ＳＦＢＣ）に少なくとも部分的に基づく、ＣＲＳベースチャネル品質インジケータ（ＣＱＩ）測定サブフレーム、自己スケジューリングモードでの共通探索空間許可の送信、物理制御フォーマットインジケータチャネル（ＰＣＦＩＣＨ）の送信、物理フレームフォーマットインジケータチャネル（ＰＦＦＩＣＨ）の送信、物理ダウンリンク制御チャネル（ＰＤＣＣＨ）の送信、物理ハイブリッド自動再送要求インジケータチャネル（ＰＨＩＣＨ）の送信、または物理ブロードキャストチャネル（ＰＢＣＨ）の送信のうちの少なくとも１つを備える、請求項１に記載の方法。
【請求項８】
プロセッサと、
前記プロセッサと電子通信しているメモリとを備え、
前記プロセッサおよびメモリが、
共有無線周波数スペクトル帯域におけるダウンリンクサブフレーム内の所定の信号タイプを識別することと、
前記ダウンリンクサブフレーム内の前記所定の信号タイプに少なくとも部分的に基づいて、前記ダウンリンクサブフレームのためのセル固有参照信号（ＣＲＳ）を生成することと、
を行うように構成されることを特徴とする、ワイヤレス通信のための装置。
【請求項９】
セル固有参照信号（ＣＲＳ）が、共有無線周波数スペクトル帯域におけるダウンリンクサブフレームに存在するかどうかを動的に決定することと、
前記ＣＲＳが前記ダウンリンクサブフレームに存在すると動的に決定すると、前記ダウンリンクサブフレーム中に少なくとも１つのＣＲＳベース動作を実行することと、
を特徴とする、ワイヤレス通信のための方法。
【請求項１０】
前記ダウンリンクサブフレーム中に前記少なくとも１つのＣＲＳベース動作を実行することが、
チャネル推定を取得するために前記ＣＲＳに対して測定を実行することと、
前記チャネル推定に少なくとも部分的に基づいて、物理制御フォーマットインジケータチャネル（ＰＣＦＩＣＨ）、物理フレームフォーマットインジケータチャネル（ＰＦＦＩＣＨ）、物理ダウンリンク制御チャネル（ＰＤＣＣＨ）、物理ハイブリッド自動再送要求インジケータチャネル（ＰＨＩＣＨ）、または物理ブロードキャストチャネル（ＰＢＣＨ）のうちの少なくとも１つを復号することと、
を備える、請求項９に記載の方法。
【請求項１１】
前記ＣＲＳが前記ダウンリンクサブフレームに前記存在するかどうかを動的に決定することが、チャネル品質インジケータ（ＣＱＩ）測定サブフレーム、または拡張システム情報ブロック（ｅＳＩＢ）を備えるサブフレームにおける前記ＣＲＳの前記存在を推論すること、あるいは物理ダウンリンク制御チャネル（ＰＤＣＣＨ）または拡張ＰＤＣＣＨ（ｅＰＤＣＣＨ）中で受信されたダウンリンク制御情報（ＤＣＩ）を復号することのうちの少なくとも１つを備える、請求項９に記載の方法。
【請求項１２】
前記ダウンリンクサブフレーム中に前記少なくとも１つのＣＲＳベース動作を実行することは、
物理制御フォーマットインジケータチャネル（ＰＣＦＩＣＨ）を受信することと、
基地局が前記ダウンリンクサブフレームの後の次のダウンリンクサブフレームにおいてアクティブになるかどうかの指示を前記ＰＣＦＩＣＨにおいて受信することと、
を備える、請求項９に記載の方法。
【請求項１３】
前記ダウンリンクサブフレーム中に前記少なくとも１つのＣＲＳベース動作を実行することが、
物理ハイブリッド自動再送要求インジケータチャネル（ＰＨＩＣＨ）を受信することと、
アップリンクサブフレームのグループに対するグループ確認応答を前記ＰＨＩＣＨにおいて受信することと、
を備える、請求項９に記載の方法。
【請求項１４】
前記ダウンリンクサブフレーム中に前記少なくとも１つのＣＲＳベース動作を実行することが、
チャネル推定を取得するために前記ＣＲＳに対して測定を実行することと、
前記チャネル推定に少なくとも部分的に基づいて、拡張システム情報ブロック（ｅＳＩＢ）を復号することと、
を備える、請求項９に記載の方法。
【請求項１５】
プロセッサと、
前記プロセッサと電子通信しているメモリとを備え、
前記プロセッサおよびメモリが、
セル固有参照信号（ＣＲＳ）が、共有無線周波数スペクトル帯域におけるダウンリンクサブフレームに存在するかどうかを動的に決定することと、
前記ＣＲＳが前記ダウンリンクサブフレームに存在すると動的に決定すると、前記ダウンリンクサブフレーム中に少なくとも１つのＣＲＳベース動作を実行することと
を行うように構成されることを特徴とする、ワイヤレス通信のための装置。